(57)【特許請求の範囲】
【請求項１】
マイクロホンに着脱自在に装着されるマイクロホンコネクタを、テーブルなどの被取付体に固定するマイクロホンコネクタの固定装置において、
中央に上記マイクロホンコネクタが挿通される挿通孔を有し、上記挿通孔の一部には上記マイクロホンコネクタのリリースボタンが上記挿通孔に接触しないようにするための逃げ溝が設けられているゴム弾性体からなるドーナツ形状のマウンタリングと、上記マウンタリングを軸方向に圧縮する圧縮手段とを有し、上記圧縮手段により上記マウンタリングを軸方向に圧縮することにより、上記マウンタリングの外径を拡径させて、上記被取付体の取付孔の内面に密着させるとともに、上記挿通孔の内径を縮径させて、上記挿通孔の内面を上記マイクロホンコネクタに密着させることを特徴とするマイクロホンコネクタの固定装置。
【請求項２】
上記マウンタリングの一端には、上記被取付体の取付孔の内径よりも大径なフランジが設けられていることを特徴とする請求項１に記載のマイクロホンコネクタの固定装置。
【請求項３】
上記マウンタリングは、その軸方向長さが少なくとも上記リリースボタンの軸方向長さよりも長く形成されており、上記逃げ溝は、その溝幅が上記リリースボタンの厚さよりも大きく、かつ、その溝深さがリリースボタンの突出高さよりも深く形成され、上記挿通孔に沿って上記マウンタリングを貫通するように設けられていることを特徴とする請求項１または２に記載のマイクロホンコネクタの固定装置。
【請求項４】
上記圧縮手段は、上記マウンタリングを軸方向に挟んで取り付けられる一対の圧縮リングと、これら圧縮リング同士を互いに連結する圧縮ネジとからなり、上記圧縮ネジの回転に伴い、上記圧縮リング同士の距離が可変となることを特徴とする請求項１ないし３のいずれか１項に記載のマイクロホンコネクタの固定装置。
【発明の詳細な説明】
【技術分野】
【０００１】
本発明は、マイクロホンが着脱自在に取り付けられるマイクロホンコネクタを机やテーブルなどに固定するマイクロホンコネクタの固定装置に関し、さらに詳しく言えば、取付が簡単であり、マイクロホンに振動やノイズが入りにくい構造のマイクロホンコネクタの固定装置に関する。
【背景技術】
【０００２】
例えば収録スタジオや会議場などのテーブルにマイクロホンを取り付ける方法の１つに埋設型マイクロホンマウンタがある。非特許文献１ならびに図６（ａ），（ｂ）を参照して、このマイクロホンマウンタ１は、シリンダー状のマウンタ本体２を有し、マウンタ本体２の一端側には、テーブルなどに設けられる取付孔（ともに図示しない）に取り付けた際に抜け落ちないようにするためのフランジ２ａが設けられている。
【０００３】
フランジ２ａには、マイクロホンマウンタ１をテーブルにネジ止めする際に用いられるネジ孔２ｂが、この例では３箇所設けられている。マイクロホンマウンタ１の上面、すなわち、フランジ２ａの中央には、図示しないマイクロホンが差し込まれるコネクタ３が設けられている。
【０００４】
この例において、コネクタ３は３ピン式のメス型ＸＬＲコネクタからなり、そこにマイクロホン側に設けられた同型のオスコネクタが差し込まれる。コネクタ３には、リリースボタン４が設けられており、リリースボタン４を押すことで、コネクタ同志の連結が解錠される。
【０００５】
これによれば、マイクロホンマウンタ１をテーブルなどに予め設置しおくことにより、マイクロホンを簡単に設置、回収することができる。しかしながら、このマイクロホンマウンタ１には、次のような問題があった。
【０００６】
すなわち、上述した据え付け型のマイクロホンマウンタ１は、全体が金属や樹脂などの比較的硬い材質によって構成されている。そのため、テーブルを叩いたりした衝撃や振動がマイクロホンマウンタ１を伝播して、直接マイクロホンに入りノイズ発生の原因となりやすい。
【０００７】
また、据え付け型の場合は、マウンタ本体２の下端側に設けられた端子台５に図示しないマイクロホンコードをハンダ付けする必要があり、作業性が悪い。さらには、マイクロホンが常時設置されているような場合、マイクロホンは、リリースボタン４を押すだけで簡単に取り外しができるため、盗難やいたずらなどの被害に遭うおそれもある。
【先行技術文献】
【非特許文献】
【０００８】
【非特許文献１】スウィッチクラフト社ホームページのマイクロホンマウント：Ｃ３Ｆ型の製品ページ（ｈｔｔｐ：／／ｗｗｗ．ｓｗｉｔｃｈｃｒａｆｔ．ｃｏｍ／ｐｒｏｄｕｃｔｓｕｍｍａｒｙ．ａｓｐｘ？Ｐａｒｅｎｔ＝７６１）
【発明の概要】
【発明が解決しようとする課題】
【０００９】
そこで、本発明は、上述した課題を解決するためになされたものであって、その目的は、簡単に取付が可能であり、振動や衝撃に対しても良好な特性を有するマイクロホンコネクタの固定装置を提供することにある。
【課題を解決するための手段】
【００１０】
上述した目的を達成するため、本発明は以下に示すいくつかの特徴を備えている。請求項１に記載の発明は、マイクロホンに着脱自在に装着されるマイクロホンコネクタを、テーブルなどの被取付体に固定するマイクロホンコネクタの固定装置において、中央に上記マイクロホンコネクタが挿通される挿通孔を有し、上記挿通孔の一部には上記マイクロホンコネクタのリリースボタンが上記挿通孔に接触しないようにするための逃げ溝が設けられているゴム弾性体からなるドーナツ形状のマウンタリングと、上記マウンタリングを軸方向に圧縮する圧縮手段とを有し、上記圧縮手段により上記マウンタリングを軸方向に圧縮することにより、上記マウンタリングの外径を拡径させて、上記被取付体の取付孔の内面に密着させるとともに、上記挿通孔の内径を縮径させて、上記挿通孔の内面を上記マイクロホンコネクタに密着させることを特徴としている。
【００１１】
請求項２に記載の発明は、上記請求項１において、上記マウンタリングには、上記被取付体の取付孔の内径よりも大径なフランジ部が設けられている。
【００１３】
請求項３に記載の発明は、上記請求項１または２において、上記マウンタリングは、その軸方向長さが少なくとも上記リリースボタンの軸方向長さよりも長く形成されており、上記逃げ溝は、その溝幅が上記リリースボタンの厚さよりも大きく、かつ、その溝深さがリリースボタンの突出高さよりも深く形成され、上記挿通孔に沿って上記マウンタリングを貫通するように設けられていることを特徴としている。
【００１４】
請求項４に記載の発明は、上記請求項１ないし３のいずれか１項において、上記圧縮手段は、上記マウンタリングを軸方向に挟んで取り付けられる一対の圧縮リングと、これら圧縮リング同士を互いに連結する圧縮ネジとからなり、上記圧縮ネジの回転に伴い、上記圧縮リング同士の距離が可変となることを特徴としている。
【発明の効果】
【００１５】
請求項１に記載の発明によれば、圧縮手段によって弾性部材からなるマウンタリングを軸方向に圧縮して弾性変形させることにより、その外周が拡径して被取付体の取付孔に密着するとともに、挿通孔が縮径してマイクロホンコネクタを同時に固定することができ、また、挿通孔の一部に逃げ溝を設けて、この逃げ溝にマイクロホンコネクタのリリースボタンを収納することにより、圧縮変形によって変形した挿通孔にリリースボタンが接触するのを避けることができる。
【００１６】
請求項２に記載の発明によれば、マウンタリングの一部に取付孔の内径よりも大径なフランジ部を設けたことにより、フランジ部が取付孔に対する抜け止めとなり、より簡単にマウンタリングを設置することができる。
【００１８】
請求項３に記載の発明によれば、マウンタリングは、その軸方向長さが少なくともリリースボタンの軸方向長さよりも長く形成されており、逃げ溝は、その溝幅がリリースボタンの厚さよりも大きく、かつ、その溝深さがリリースボタンの突出高さよりも深く形成され、挿通孔に沿って上記マウンタリングを貫通するように設けられていることにより、逃げ溝によってリリースボタンが押されて、マイクロホンコネクタの接続が外れることを防止できる。
【００１９】
請求項４に記載の発明によれば、一対の圧縮リングによってマウンタリングを軸方向に挟んで、これら圧縮リング同士を互いに連結する圧縮ネジを回転させることで、圧縮リング同士の距離が可変となり、容易にマウンタリングを着脱することができる。
【図面の簡単な説明】
【００２０】
【図１】本発明の一実施形態に係るマイクロホンコネクタの固定装置の正面図。
【図２】上記マイクロホンコネクタの固定装置を被取付体の取付孔に取り付けて、マイクロホンコネクタを差し込んだ状態のＡ−Ａ線断面図。
【図３】上記マイクロホンコネクタの固定装置を被取付体の取付孔に取り付けて、マイクロホンコネクタを差し込んだ状態のＢ−Ｂ線断面図。
【図４】マウンタリングを圧縮して取付孔に密着させた状態の要部断面図。
【図５】マウンタリングを密着させた状態の逃げ溝の状態を説明する説明図。
【図６】従来のマイクロホンコネクタの固定装置の（ａ）平面図および（ｂ）正面図。
【発明を実施するための形態】
【００２１】
次に、本発明の実施形態について図面を参照しながら説明するが、本発明はこれに限定されるものではない。
【００２２】
図１〜図３に示すように、まず、このマイクロホンコネクタの固定装置１０は、被取付体（この例ではテーブルＴ）に設けられた取付孔Ｈに取り付けられる。取付孔Ｈは、テーブルＴを上下に貫通する貫通孔からなる。なお、取付孔Ｈの大きさは任意であってよい。
【００２３】
固定装置１０は、ドーナツ状のマウンタリング２０と、マウンタリング２０を軸方向の両面で挟んで支持する一対の圧縮リング３０ａ，３０ｂと、圧縮リング３０ａ，３０ｂを連結する圧縮ネジ４０とから構成されている。
【００２４】
マウンタリング２０は、適度なゴム弾性を有する円筒状の弾性材からなり、中央には、マイクロホンコネクタＣが挿通される挿通孔２１が設けられている。図２に示すように、マウンタリング２０は、その軸方向長さが、マイクロホンコネクタＣのリリースボタンＲＢの軸方向長さよりも長く形成されている。マウンタリング２０は、マイクロホンに振動が入りにくいように、防振特性に優れた弾性材がより好ましい。
【００２５】
この例において、マウンタリング２０は、ゴム弾性材の成型品からなる１ピースで構成されているが、例えば内側と外側を異なる材質などの２ピースで構成してもよい。マウンタリング２０は、圧縮による弾性変形可能な材質および形状であれば、仕様に応じて任意に変更されてよい。
【００２６】
マウンタリング２０には、圧縮ネジ４０が挿通されるネジ挿通孔２２が、この例では３箇所設けられている。ネジ挿通孔２２は、圧縮ネジ４０の数と同数設けられてよい。
【００２７】
マウンタリング２０の一端側、図２では上端側には、マウンタリング２０を取付孔Ｈに取り付ける際に、マウンタリング２０が抜け落ちないようにするための、フランジ部２３が設けられている。
【００２８】
フランジ部２３は、その外径が少なくとも取付孔Ｈの内径よりも大径に形成されていればよく、例えばエッジが目立たないように角が面取りされるなどしてもよい。この例において、フランジ部２３は、マウンタリング２０が取付孔Ｈの中に隠れるようにマウンタリング２０の端部外周に設けられているが、マウンタリング２０の外周に設けられていれば、その位置は特に限定されない。
【００２９】
マウンタリング２０の一方の端面（図２では上面）には、一方の圧縮リング３０ａ（以下、第１圧縮リング３０ａとする）が収納される第１凹部２４が設けられている。第１凹部２４は、第１圧縮リング３０ａの形状に合わせてマウンタリング２０の端面から一段低く形成された環状凹溝からなり、マウンタリング２０に同軸的に形成されている。
【００３０】
マウンタリング２０の他方の端面（図２では下面）には、一方の圧縮リング３０ｂ（以下、第２圧縮リング３０ｂとする）が収納される第２凹部２５が設けられている。第２凹部２５は、第２圧縮リング３０ｂの形状に合わせてマウンタリング２０の端面から一段低く形成された環状凹溝からなり、マウンタリング２０に同軸的に形成されている。
【００３１】
挿通孔２１は、マウンタリング２０の中央に同軸的に設けられた貫通孔からなり、マイクロホンコネクタＣの外径に対して若干大径な内径を有している。挿通孔２１の一部には、マイクロホンコネクタＣを差し込んだ際に、マイクロホンコネクタＣに設けられたリリースボタンＲＢを逃がす逃げ溝２１ａが設けられている。
【００３２】
逃げ溝２１ａは、マイクロホンコネクタＣの外周面から突設するリリースボタンＲＢを避けるように、挿通孔２１の内径から半径方向に向かって切り欠かれたコ字状の溝であって、挿通孔２１に沿って形成されている。
【００３３】
逃げ溝２１ａは、リリースボタンＲＢが押されて解除されないように、その幅がリリースボタンＲＢの厚さよりも十分大きく形成されており、かつ、その溝深さがリリースボタンＲＢの突出高さよりも十分大きく形成されている。
【００３４】
第１圧縮リング３０ａは、例えばアルミニウムなどの金属板をリング状に打ち抜いた成型品からなり、圧縮ネジ４０が差し込まれるネジ孔３１が、この例では３箇所設けられている。第１圧縮リング３０ａのネジ孔３１は、スルーホールである。
【００３５】
第２圧縮リング３０ｂも、第１圧縮リング３０ｂとほぼ同じ円盤リング状を呈し、同様にネジ孔３１が３箇所設けられている。第２圧縮リング３０ｂのネジ孔３１は、圧縮ネジ４０が螺合される雌ねじ孔である。
【００３６】
次に、図４および図５を参照しながら、本発明の固定装置１０の取付手順の一例について説明する。まず、マウンタリング２０の両端に各圧縮リング３０ａ，３０ｂを取り付け、圧縮ネジ４０で固定することで、固定装置１０が組み上がる。この固定装置１０を取付孔Ｈに差し込む。
【００３７】
次に、マウンタリング２０の下端からマイクロホンコネクタＣを差し込む。なお、マイクロホンコネクタＣを予めマウンタリング２０に取り付けた状態で取付孔Ｈに取り付けてもよい。この例では、マイクロホンのコネクタ部分が外に突出するように取り付けられる。
【００３８】
取付孔Ｈにマウンタリング２０を取り付けたのち、工具（この例ではプラスドライバ）で圧縮ネジ４０を締め付け方向に回すことで、圧縮ネジ４０の回転に伴って、上下の圧縮リング３０ａ，３０ｂ同士が互いに近接する方向に移動する。
【００３９】
圧縮リング３０ａ，３０ｂの移動に伴い、マウンタリング２０が軸方向に圧縮される。これにより、マウンタリング２０の外径が拡径して、取付孔Ｈの内周に密着する。同時に、挿通孔２１が縮径して、マイクロホンコネクタＣに密着する。すなわち、固定装置１０の固定と、マイクロホンコネクタＣの固定とが同時に行われる。
【００４０】
その際、マイクロホンコネクタＣのリリースボタンＲＢは逃げ溝２１ａ内に収納されているため、挿通孔２１に非接触となっているため、リリースボタンＲＢが押されて、マイクロホン（図示しない）との接続が解除されることはない。
【００４１】
この例において、マウンタリング２０は、外周が円筒状に形成されているが、より好ましい態様として、その外周面が例えば四角形や五角形などの多角形状に形成されていてもよい。これによれば、取付孔Ｈとマウンタリング２０との接触面積をさらに減らすことができ、より防振性を高めることができる。このような態様も本発明に含まれる。
【符号の説明】
【００４２】
１，１０  固定装置
２０  マウンタリング
２１  挿通孔
２１ａ  逃げ溝
２３  フランジ部
３０ａ，３０ｂ  圧縮リング
４０  圧縮ネジ
Ｃ  マイクロホンコネクタ
ＲＢ  リリースボタン
【図１】
0005615739.tif 000002
【図２】
0005615739.tif 000003
【図３】
0005615739.tif 000004
【図４】
0005615739.tif 000005
【図５】
0005615739.tif 000006
【図６】
0005615739.tif 000007